(57)【要約】  冷蔵庫の内部空間を照明するための照明装置は、パネルと、パネルに光を導入するための照明器とを含む。照明器は、パネルの縁部に沿ってパネルに光を導入する。パネルの表面は、パネルの外部の領域に導入光を変向させるための複数の線を含む。複数の線は格子を構成する。
2010534391.tif 000002
【特許請求の範囲】
【請求項１】
冷蔵庫の内部空間を照明するための照明装置であって、
パネルと、
前記パネルの縁部に沿って前記パネルに光を導入するための照明器とを備え、
前記パネルの表面が、前記パネルの外部の領域に導入光を変向させるための複数の線を含み、さらに前記複数の線は格子を構成する照明装置。
【請求項２】
前記格子が、半対数型である請求項１に記載の照明装置。
【請求項３】
前記格子が、略半対数型である請求項１に記載の照明装置。
【請求項４】
請求項１に記載の照明装置を備える冷蔵庫。
【請求項５】
前記照明器が、前記パネルと前記冷蔵庫の内壁の間に前記壁に沿って配置されている請求項１に記載の照明装置。
【請求項６】
前記格子が、前記パネルの前記表面にレーザ彫刻されている請求項１に記載の照明装置。
【請求項７】
前記格子が、前記パネルの前記表面にエッチングされている請求項１に記載の照明装置。
【請求項８】
前記照明器は、前記パネルに導入される前記光を生成するための複数の発光ダイオードを備える請求項１に記載の照明装置。
【請求項９】
前記格子が、半対数型である請求項８に記載の照明装置。
【請求項１０】
前記パネルが、前記冷蔵庫内の棚であり、さらに前記格子は前記パネルの前記表面にレーザ彫刻されている請求項９に記載の照明装置。
【請求項１１】
前記格子は、前記パネルの前記表面に刻み込まれている請求項１に記載の照明装置。
【請求項１２】
前記格子は半対数型である請求項１１に記載の照明装置。
【請求項１３】
前記格子は略半対数型である請求項１１に記載の照明装置。
【請求項１４】
前記格子は、
前記パネルの前記縁部に平行である第一の複数の平行線と、
前記第一の複数の平行線に平行である第二の複数の平行線とを含み、
前記第一の複数の平行線において連続する線の間の距離が、前記第二の複数の平行線において連続する線の間の距離よりも大きい請求項１１に記載の照明装置。
【請求項１５】
前記第一の複数の平行線は、前記第二の複数の平行線よりも前記パネルの前記縁部に近い請求項１４に記載の照明装置。
【請求項１６】
冷蔵庫の内部空間を照明するための照明装置であって、
前記内部空間に位置する鉛直方向に位置変更可能な棚であって、前記棚の下面にレーザ彫刻された半対数型の格子を含む棚と、
前記冷蔵庫の後壁および前記棚の縁部に沿って配置され、前記棚の前記縁部に沿って前記棚に導入する光を生成するための複数の発光ダイオードを含み、さらに導入光が前記半対数型の格子を通って前記棚の外部へ変向される照明器とを備える照明装置。
【請求項１７】
請求項１６に記載の照明装置を備える冷蔵庫。
【発明の詳細な説明】
【技術分野】
【０００１】
（関連出願の相互参照）
該当なし。
【０００２】
本発明は、冷蔵庫の内部空間を照明するための冷蔵庫照明棚に関する。
【背景技術】
【０００３】
冷蔵庫の内部空間に照明装置を設けることは公知である。従来の冷蔵庫用照明装置は、白熱灯を有する照明器具を備えている。このような装置は大型であることが多く、冷蔵庫の内部に不要な熱を伝導させてしまう。
【０００４】
上記欠点のうち一つ以上を解決する冷蔵庫用照明装置を提供することが有益である。
【発明の概要】
【０００５】
本発明の一態様によれば、冷蔵庫の内部空間を照明するための照明装置が提供される。照明装置は、パネルと、パネルの縁部に沿ってパネルに光を導入するための照明器とを備え、パネルの表面は、パネルの外部の領域に導入光を逸らすための複数の線を含む。当該複数の線は、格子を構成する。
【０００６】
さらに、冷蔵庫の内部空間を照明するための照明装置が提供され、当該装置は、内部空間に位置する鉛直方向に位置変更可能な棚を備える。当該棚は、棚の下面にレーザ彫刻された半対数型の格子を含む。照明器が冷蔵庫の後壁および棚の縁部に沿って配置されている。照明器は、棚の前記縁部に沿って棚に導入する光を生成するための複数の発光ダイオードを含む。導入光は、半対数型の格子を通って棚の外部へ変向される。
【図面の簡単な説明】
【０００７】
【図１】照明棚を有する冷蔵庫の内部の斜視図である。
【０００８】
【図２】冷蔵庫照明棚の斜視図である。
【０００９】
【図３】冷蔵庫照明棚の一部の平面図である。
【００１０】
【図４】図３の棚の側面図である。
【発明を実施するための形態】
【００１１】
冷蔵庫の内部空間を照明するための照明棚が提供される。さらに、冷蔵庫の内部空間を照明するための一つ以上の照明棚を有する冷蔵庫が提供される。
【００１２】
図１は、冷蔵庫１の内部の斜視図を示す。冷蔵庫内部には複数の棚２が設けられている。棚２は、その各縁部が冷蔵庫１の側壁３および後壁４に隣接するように、側壁３および後壁４に沿って延在する。図１の実施形態では、当該棚は、側壁３から冷蔵庫１の内部に延びるレッジ５によって、側壁３に沿って支持される。第二側壁（図１では図示せず）は、側壁３および後壁４にほぼ垂直であり、水平位置で棚２を支持するための対応するレッジを含む。図２に示す更なる実施形態では、棚２は、冷蔵庫の後壁４に位置する鉛直レール７に嵌合するブラケット６によって支持されている。棚２は、冷蔵庫１の構成に応じて、各レッジ５対の間、あるいは、鉛直レール７に沿って、冷蔵庫１内で鉛直方向に位置変更可能である。
【００１３】
棚２は、冷蔵庫１の内部を照明する。冷蔵庫を快適に使用するための適度な照明度は、一つ以上の棚２によって提供される。一実施形態においては、適度な照明度は四つの棚からの総照明出力によって提供される。
【００１４】
各棚２は、透明または半透明のパネル８を備える。例えば、パネル８は透明または白色ガラスを含んでいても良い。一実施形態では、パネル８は強化ガラスまたは安全ガラスを含む。一実施形態では、当該パネルは３〜８ｍｍの厚さを有する。
【００１５】
図２から図４に最適に示されるように、棚２の縁部とパネル８の縁部に沿って照明器９が設けられている。一実施形態では、照明器９はさらに、冷蔵庫９の後壁４に沿って、パネル８と後壁４の間に設けられている。なお、照明器９は、例えば側壁３に隣接する縁部等、棚２の如何なる縁部に沿って設けられていても良い。さらに、複数の照明器９を、例えば二つの側壁３に沿って、棚２の複数の縁部に沿って設けることもできる。
【００１６】
照明器９は、パネル８の縁部に沿って光をパネル８内に導入する。パネル８は、パネル内に導入された光のための光導波路として作用する。パネル８と照明器９は、一体となって冷蔵庫の内部を照明するための縁部照明装置を提供する。
【００１７】
パネル８は、上面および下面を有する。パネル８の上下面の一方または両方には、複数の線が、例えばレーザ彫刻またはエッチングによって刻み込まれている。当該複数の線によって、照明器９を介してパネル８内に導入された光の一部が、パネル８外部の領域に変向される。当該複数の線によってパネル８外部に変向された光が、冷蔵庫１の内部を照明する。
【００１８】
一実施形態では、当該複数の線が光変向格子を構成する。光変向格子は、冷蔵庫内においてほぼ均一に配光するように構成され、単なる平行線で実現するものに比べてより均一に配光できる。さらに、光変向格子は、非常に細い格子線を用いることで、所望の照明度で均一に配光することができる。
【００１９】
一実施形態では、各棚のパネル８の下面のみ光変向格子を備える。一実施形態では、パネル８の縁部は、導入光がパネル８の縁部から逃げずにパネル８内に再反射されるように、例えば光沢アルミ等の艶消または反射材１３で被覆あるいは被膜されている。
【００２０】
図２および図３に最適に示されるように、格子線は、照明器９および照明器９に隣接するパネル８縁部に対して平行に、及び、直交して延びる。すなわち、格子線は、照明器９、および、照明器９がパネル８内に光を導入するための対応するパネル８縁部に平行に、及び、直交して延びる。照明器９および照明器９に隣接するパネル８縁部に平行して延びる格子線を、ここでは「平行格子線」１０と称する。照明器および照明器９に隣接するパネル８縁部に直交して延びる格子線を、ここでは「直交格子線」１１と称する。
【００２１】
一実施形態では、さらに図２や図３に示されるように、連続する直交格子線１１間の間隔は均一である。直交格子線１１を等間隔にすることにより、照明器９からパネル８に導入される光を、照明器９の長さに渡って冷蔵庫１の内部に均一に拡散させ配光させることができる。なお、直交格子線１１の間隔を非均一にすることによって、非均一に配光させることができる。例えば、パネル８の中央付近の領域により多くの光を供給したい場合、パネル８の中央において連続する直交格子線１１間の間隔を狭くすれば良い。パネル８の中央において連続する直交格子線間の間隔を狭くするということは、パネル８の中央における格子線の数を増やすことであり、これによりパネル８の中央において、パネル８の外部へ変向される光の量が増加する。
【００２２】
平行格子線１０も同様に、等間隔でも良い。しかし、このような構成では、照明器９付近のパネル８の領域が、照明器９から遠いパネル８の領域と比べて、より強く照明されることになる。すなわち、平行格子線１０が等間隔である場合、パネル８からの照明強度が照明器９から遠ざかる方向に低下する。平行格子線１０を等間隔に設けると、照明器９付近の冷蔵庫１内部において照明強度が高く、照明器９から遠ざかるに従って照明強度が低くなるという結果になる。冷蔵庫１の後壁４に沿って照明器９が配置され、かつ、平行格子線１０が等間隔の場合、冷蔵庫１の後方に位置する食品が、冷蔵庫前方に位置する食品よりも明るく照らされることになる。
【００２３】
図２の実施形態では、平行格子線１０が等間隔に配置されていない。連続する平行格子線１０間の間隔は、照明器９から遠ざかる方向に狭くなる。すなわち、照明器９からより遠方にある連続する平行格子線１０間の間隔が、照明器により近い連続する平行格子線１０間の間隔よりも狭い。連続する平行格子線１０間の間隔を照明器９から遠ざかる方向にしたがって狭くすることにより、パネル８からほぼ均一な照明を実現することができる。
【００２４】
一実施形態では、格子は、半対数型の格子または略半対数型の格子である。すなわち、直交格子線１１はほぼ等間隔であり、平行格子線１０は対数的またはほぼ対数的な間隔で配置される。
【００２５】
照明器９の詳細を図３および図４に示す。照明器９は、パネル８に導入する光を生成するための一列の発光ダイオード（ＬＥＤ）１２を備える。ＬＥＤ１２は、パネル８の縁部に沿って配列され、それにより、パネルの縁部が照明器９によって照明される。照明器用筐体１４は、照明器９からパネル８の縁部方向以外に光が漏れることを防止する。
【００２６】
一実施形態では、照明器９は、冷蔵庫１内部を照明するための白色光を生成する。一実施形態では、照明器９は２０個を超えたＬＥＤを備える。一実施形態では、照明器９は２０個以下のＬＥＤを備える。例えば、照明器９は正確に２０個のＬＥＤを備えていても良いし、正確に１８個のＬＥＤを備えていても良いし、あるいは１８個より少ないＬＥＤを備えていても良い。
【００２７】
一実施形態では、照明器９は棚２の縁部に取り付けられ、棚２と共に鉛直方向に位置変更可能である。一実施形態では、照明器９は、例えば後壁４等の冷蔵庫１の内壁に取り付けられる。棚２は、照明器に対して動作可能に取り付けられ、照明器から取り外しできる。
【００２８】
照明器９が冷蔵庫１の内壁に取り付けられ、それにより棚２と共に鉛直方向に位置変更できない場合、照明器９は電源に配線で接続されていても良い。例えば、照明器９は、ＬＥＤの必要条件に応じて、６ＶＤＣ電源または１２ＶＤＣ電源に配線で接続されていても良い。照明器９が棚２の縁部に取り付けられ、棚２と共に鉛直方向に位置変更可能である場合、照明器、棚、あるいはブラケット６にコネクタを設けることで、照明器９を電源に着脱可能に接続できる。例えば、後壁４等、冷蔵庫１の壁に位置する対応するコネクタに接続するために、照明器９にコネクタを設けても良い。あるいは、鉛直レール７あるいはその近辺に位置する対応するコネクタに接続するために、棚ブラケット６にコネクタを設けても良い。棚２および取り付けられた照明器９を位置変更するときは、順に、照明器のプラグが電源から引き抜かれ、電源に接続される。
【００２９】
一実施形態では、通電された電気バスが、少なくとも一つの鉛直レール７に設けられている。棚２の対応するブラケット６は、当該電気バスに接続するために、例えばスプリングバイアス電極等の外向きにバイアスされた電極を備える。棚２および取り付けられた照明器９を位置変更するときは、順に外向きにバイアスされた電極が電気バスから切断され、電気バスに再接続される。電気バスは、ブラケット６上の外向きにバイアスされた電極を介して、照明器９に電力を供給する。一実施形態では、当該電極はスプリングバイアスされた固定式の金属球である。一実施形態では、各鉛直レール７は、ブラケット６における対応する電極に接続するために、通電されたバス、および、接地または中性母線のうち少なくとも一つを備える。
【００３０】
図２に示されるように、各鉛直レール７はＬ字状であり、互いに直角である二つの鉛直方向延在部材を有する。レール７の一方の鉛直方向延在部材は、冷蔵庫後壁４にほぼ平行であり、棚ブラケット６用の取付穴を有する。レール７の他方の鉛直方向延在部材は、冷蔵庫の側壁３にほぼ平行であり、一つ以上の電気バスを備えることができる。一実施形態では、外向きにバイアスされた電極は棚ブラケット６から側壁３に向かって突出し、側壁３に平行であるレール７の鉛直方向延在部材に位置する、対応する電気バスに係合される。
【００３１】
一実施形態では、電磁誘導によって電力が照明器９に供給される。例えば高周波一次コイル等の変圧器鉄心を有さない一次コイルが、冷蔵庫の後壁４に沿って鉛直方向に取り付けられる。棚２は、一次コイルの長さに沿って鉛直方向に位置変更することができる。各棚２は、小型の磁心、および、高周波二次コイル等の二次コイルを備える。棚２が鉛直レール７に沿って、あるいは、レッジからレッジ５へと鉛直方向に位置変更されると、棚２も一次コイルに沿って位置変更される。電力は、棚２の小型磁心を通じて一次コイルから二次コイルへの電気誘導を介して、棚２上の照明器９に供給される。
【００３２】
ここで説明した縁部照明パネルは、棚２の一部ではなく、冷蔵庫１内のサイドパネルとして設けられていても良い。例えば、当該縁部照明パネルは、後壁４にほぼ直交して延びる棚２ではなく、後壁４に平行して延在するように、冷蔵庫の後壁４に沿って取り付けられていても良い。冷蔵庫内には、例えば二つの側壁３および後壁４に沿うように、複数の縁部照明パネルを設けても良い。
【００３３】
本開示は一例であることは明白であり、詳細を追加、修正、または省略することにより、本開示に含まれる要旨を逸脱しない範囲内において様々な変更が可能である。従って、本発明は、以下の特許請求の範囲において必然的に限定される以外は、本開示における特定の詳細に限定されることはない。
【図１】
2010534391.tif 000003
【図２】
2010534391.tif 000004
【図３】
2010534391.tif 000005
【図４】
2010534391.tif 000006
【国際調査報告】
2010534391.tif 000007
2010534391.tif 000008
2010534391.tif 000009